【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
上下方向、左右方向、及び前後方向を有し、
吸収性コア、腹側胴回り部、及び背側胴回り部を有するパンツ型吸収性物品であって、
前記吸収性コアは、前記腹側胴回り部又は前記背側胴回り部の少なくとも一方と前記前後方向において重なる重なり領域に、前記左右方向に所定の長さを有する圧搾部を少なくとも１つ有し、
複数の前記圧搾部が、前記重なり領域と、前記吸収性コアと前記腹側胴回り部と前後方向において重ならない非重なり領域に設けられており、
前記吸収性コアは、２つ折りされており、前側に位置する前側コア部と、後側に位置する後側コア部を有し、
前記重なり領域に設けられた複数の前記圧搾部のうち、最も下側に位置する胴回り下側圧搾部と、前記胴回り下側圧搾部に上側から隣接する隣接胴回り下側圧搾部との間隔は、
前記非重なり領域に設けられた複数の前記圧搾部のうち、最も下側に位置する下側圧搾部と、前記下側圧搾部に上側から隣接する隣接下側圧搾部との間隔よりも大きいこと
を特徴とするパンツ型吸収性物品。
【請求項２】
請求項１に記載のパンツ型吸収性物品において、
前記下側圧搾部と前記隣接下側圧搾部との間隔は、
前記非重なり領域に設けられた複数の前記圧搾部のうち、最も上側に位置する上側圧搾部と、前記上側圧搾部に下側から隣接する隣接上側圧搾部との間隔よりも小さいことを特徴とするパンツ型吸収性物品。
【請求項３】
請求項１又は２に記載のパンツ型吸収性物品において、
前記重なり領域に設けられている全ての前記圧搾部の前記左右方向の長さの和は、前記上下方向の長さの和よりも大きいことを特徴とするパンツ型吸収性物品。
【請求項４】
請求項１から３のいずれか１項に記載のパンツ型吸収性物品において、
前記腹側胴回り部、及び前記背側胴回り部は、前記左右方向に伸縮する胴回り伸縮部材をそれぞれ有し、
前記腹側胴回り部、及び前記背側胴回り部は、前記胴回り伸縮部材とともに伸縮する伸縮領域と、伸縮しない非伸縮領域をそれぞれ有しており、
少なくとも１つの前記圧搾部は、前後方向において前記非伸縮領域と重なることを特徴とするパンツ型吸収性物品。
【請求項５】
請求項４に記載のパンツ型吸収性物品において、
前記圧搾部の前記左右方向の中央は、前記吸収性コアの左右方向の中央であり、
前記非伸縮領域は、前記腹側胴回り部の前記左右方向の中央部に設けられており、
前記圧搾部の前記左右方向の両端は、前記非伸縮領域の前記左右方向の両端よりもそれぞれ外側に設けられていることを特徴とするパンツ型吸収性物品。
【請求項６】
請求項４に記載のパンツ型吸収性物品において、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記圧搾部の前記左右方向の両端は、前記非伸縮領域の前記左右方向の両端よりもそれぞれ内側に設けられていることを特徴とするパンツ型吸収性物品。
【請求項７】
上下方向、左右方向、及び前後方向を有し、
吸収性コア、腹側胴回り部、及び背側胴回り部を有するパンツ型吸収性物品であって、
前記吸収性コアは、前記腹側胴回り部又は前記背側胴回り部の少なくとも一方と前記前後方向において重なる重なり領域に、前記左右方向に所定の長さを有する圧搾部を少なくとも１つ有し、
前記腹側胴回り部、及び前記背側胴回り部は、前記左右方向に伸縮する胴回り伸縮部材をそれぞれ有し、
前記腹側胴回り部、及び前記背側胴回り部は、前記胴回り伸縮部材とともに伸縮する伸縮領域と、伸縮しない非伸縮領域をそれぞれ有しており、
少なくとも１つの前記圧搾部は、前後方向において前記非伸縮領域と重なり、
前記圧搾部の前記左右方向の中央は、前記吸収性コアの左右方向の中央であり、
前記非伸縮領域は、前記腹側胴回り部又は前記背側胴回り部の前記左右方向の中央部に設けられており、
前記腹側胴回り部又は前記背側胴回り部の少なくとも一方は、
前記圧搾部の前記左右方向の両端が、前記非伸縮領域の前記左右方向の両端よりもそれぞれ外側に設けられている長圧搾部と、
前記圧搾部の前記左右方向の両端が、前記非伸縮領域の前記左右方向の両端よりもそれぞれ内側に設けられている短圧搾部と、を有することを特徴とするパンツ型吸収性物品。
【請求項８】
請求項７に記載のパンツ型吸収性物品において、
複数の前記圧搾部が、前記上下方向に等間隔に配置されていることを特徴とするパンツ型吸収性物品。
【請求項９】
請求項４に記載のパンツ型吸収性物品において、
前記腹側胴回り部及び前記背側胴回り部は、それぞれ前記圧搾部を有し、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記腹側胴回り部の前記圧搾部の前記左右方向の両端は、前記非伸縮領域の前記左右方向の両端よりもそれぞれ外側に設けられており、
前記背側胴回り部の前記圧搾部の前記左右方向の両端は、前記非伸縮領域の前記左右方向の両端よりもそれぞれ内側に設けられていることを特徴とするパンツ型吸収性物品。
【請求項１０】
請求項４に記載のパンツ型吸収性物品において、
前記腹側胴回り部及び前記背側胴回り部は、それぞれ前記圧搾部を有し、
前記圧搾部の前記左右方向の中央は、前記吸収性コアの左右方向の中央であり、
前記非伸縮領域は、前記腹側胴回り部及び前記背側胴回り部の前記左右方向の中央部に設けられており、
前記腹側胴回り部の前記圧搾部の前記左右方向の両端は、前記非伸縮領域の前記左右方向の両端よりもそれぞれ内側に設けられており、
前記背側胴回り部の前記圧搾部の前記左右方向の両端は、前記非伸縮領域の前記左右方向の両端よりもそれぞれ外側に設けられていることを特徴とするパンツ型吸収性物品。
【請求項１１】
請求項１から１０のいずれか１項に記載のパンツ型吸収性物品において、
前記腹側胴回り部、及び前記背側胴回り部は、前記左右方向に伸縮する胴回り伸縮部材をそれぞれ有し、
前記前後方向において、少なくとも１つの前記胴回り伸縮部材が前記圧搾部と重なっていることを特徴とするパンツ型吸収性物品。
【請求項１２】
請求項１から１１のいずれか１項に記載のパンツ型吸収性物品において、
前記吸収性コアは、前記前後方向に貫通した貫通孔を有しており、
前記圧搾部と前記貫通孔は、前記上下方向において重なっていることを特徴とするパンツ型吸収性物品。
【請求項１３】
請求項１から１２のいずれか１項に記載のパンツ型吸収性物品において、
前記吸収性コアは、２つ折りされており、前側に位置する前側コア部と、後側に位置する後側コア部を有し、
前記前側コア部は、上部よりも前記左右方向の長さが短い幅狭部を有し、
前記幅狭部の少なくとも一部が前記腹側胴回り部の下端よりも上側に設けられており、
前記圧搾部が前記幅狭部に設けられていることを特徴とするパンツ型吸収性物品。
【手続補正２】
【補正対象書類名】明細書
【補正対象項目名】０００６
【補正方法】変更
【補正の内容】
【０００６】
上記目的を達成するための主たる発明は、上下方向、左右方向、及び前後方向を有し、吸収性コア、腹側胴回り部、及び背側胴回り部を有するパンツ型吸収性物品であって、前記吸収性コアは、前記腹側胴回り部又は前記背側胴回り部の少なくとも一方と前記前後方向において重なる重なり領域に、前記左右方向に所定の長さを有する圧搾部を少なくとも１つ有し、複数の前記圧搾部が、前記重なり領域と、前記吸収性コアと前記腹側胴回り部と前後方向において重ならない非重なり領域に設けられており、前記吸収性コアは、２つ折りされており、前側に位置する前側コア部と、後側に位置する後側コア部を有し、前記重なり領域に設けられた複数の前記圧搾部のうち、最も下側に位置する胴回り下側圧搾部と、前記胴回り下側圧搾部に上側から隣接する隣接胴回り下側圧搾部との間隔は、前記非重なり領域に設けられた複数の前記圧搾部のうち、最も下側に位置する下側圧搾部と、前記下側圧搾部に上側から隣接する隣接下側圧搾部との間隔よりも大きいことを特徴とするパンツ型吸収性物品である。
本発明の他の特徴については、本明細書及び添付図面の記載により明らかにする。